(57)【要約】【課題】特殊な専門技術を必要とせずに、短時間にねじ込み方向の一方向だけで組付けでき、容易に比較的小さい力で、緩みなく安定的に骨の接合と脱着ができるラグスクリュウを提供すること。【解決手段】ねじ込みによりネイルとラグスクリュウとを組付ける構造にあって、ラグスクリュウが先端に静止安定性の高い二条ねじとねじ込みと巻き戻しのための両面刃先と後端面にねじ込み工具のためのナメ防止の三つ葉以上の葉形凹面溝を備えると共に、コレットチャックの押し込み時に接合骨への滑らかな初期食付きを提供する、ネイルとスリーブに角形ねじ結合するマスタースクリュウ機構を備え、さらに食付き完了後にネイルに対してスリーブと固定用コレットチャックをテーパーとスリ割りの組合せ機構により固く摩擦締結し、恒久的に緩まない構造を備えることを特徴とする。【選択図】図６
2014030687.tif 000002
【特許請求の範囲】
【請求項１】
ネイルにラグスクリュウを組付ける組付け構造において、ラグスクリュウ本体のねじ部が二条以上のねじで形成され、さらに二条以上のねじ面の相対するそれぞれの片面がほぼ垂直面に加工されていて、ネイル・マスタースクリュウとスリーブ・マスタースクリュウが噛合うことよってラグスクリュウが接合骨に安定的に滑らかに食付く構成において、スリーブ・マスタースクリュウの初期の前進をスリーブにねじ結合されるコレットチャックを回して行うことを特徴とするネイルとラグスクリュウを組付ける組付け構造。
【請求項２】
ラグスクリュウ本体とピン結合またはセレーション、スプライン、またはキー結合され外周にマスタースクリュウを備えるスリーブを、コレットチャックによりラグスクリュウとの噛合いねじで前進させる構成において、前進時にスリーブ・マスタースクリュウの垂直の肩とネイル・マスタースクリュウの垂直の肩部とが噛合う時にスリーブが空転し、前進せずラグスクリュウだけが前進することを特徴とする請求項１に記載のネイルとラグスクリュウを組付ける組付け構造。
【請求項３】
スリーブの空転時に、ラグスクリュウの右側後端部に備えられる三葉形凹面溝に専用の回し工具を差し込んで回してラグスクリュウを接合骨へ食い込ますことができるとこと特徴とする請求項１に記載のネイルとラグスクリュウを組付ける組付け構造。
【請求項４】
ラグスクリュウの接合骨への食付きが完了した時にラグスクリュウが容易に緩まないようにするために、コレットチャックの内面とこれに噛合うスリーブの外面にそれぞれ円周上に連続的にまたは部分的に直線状のローレットが設けられ、予め決められる軽い摩擦抵抗以上でないとこの噛合いが緩まないことを特徴とする請求項１に記載のネイルとラグスクリュウを組付ける組付け構造。
【請求項５】
ラグスクリュウの接合骨への食付きが完了した時にさらにラグスクリュウが恒久的に緩まないようにするために、コレットチャックの内面とこれに噛合うスリーブ外面の直線状のローレットの摩擦抵抗に打ち勝ってコレットチャックを回転させると、コレットチャックのスリ割りとネイルに備えられる噛合いテーパーの組合せ作用によって、コレットチャックの先端がすぼんでスリーブの噛合いねじ部に食付き相互の回転を停止し、従って緩み止めが形成されることを特徴とする請求項１に記載のネイルとラグスクリュウを組付ける組付け構造。
【請求項６】
セット後にラグスクリュウ本体が抜け出ることを防止するために、ラグスクリュウの後端部とスリーブ後端部をサ−クリップで締結し、それ以上後に進んで抜け出ることを防止することを特徴とする請求項１に記載のネイルとラグスクリュウを組付ける組付け構造。
【発明の詳細な説明】
【技術分野】
【０００１】  この発明は、主に大腿骨骨折の骨接合手術に使用するインプラント用のネイルとラグスクリュウの組付け構造に関する。
【背景技術】
【０００２】  従来から、ラグスクリュウを構成するストッパー・スクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【特許文献３】  特許出願  特願２０１２−１２８３７７
【発明の開示】
【発明が解決しようとする課題】
【０００３】  しかしながら、上記の従来の固定構造は、主に円筒状でない構造のためまたは締結構造の緩みにより安定性に欠け、ぐらついたり、あるいはラグスクリュウが軸方向に自然に進んだり、抜け出るといった問題がある。【０００４】  この発明は上記事情に鑑みてなされたものであり、ネイルとラグスクリュウが安価に製作でき、しかも容易に短時間でかつ高い安定性を有して組付けできる、恒久的に緩まないネイルとラグスクリュウの組付け構造を提供することを目的とする。
【課題を解決するための手段】
【０００５】  この発明は、上記課題を解決するため、以下の手段を採用する。
この発明に係るネイルとラグスクリュウの組付け構造はラグスクリュウの二条以上のねじのねじ込み先端と反対側の三葉形凹面溝からのねじ込みによる押し込み力により、ネイルとラグスクリュウを組付ける組付け構造であって、スリーブ・マスタースクリュウと噛合うための角形雌ねじを備えるネイル・マスタースクリュウ、先端ねじ切削刃と二条以上のねじを備える先端部材と後端に三葉形凹面溝とスリーブとの滑り噛合いのためのピン結合またはセレーション、スプライン、またはキー溝を備えるラグスクリュウ、ラグスクリュウにピン結合またはセレーション、スプライン、またはキー結合され、さらにネイルとの角形ねじ噛合いのためのラグスクリュウの二条以上のねじと同じリードのマスタースクリュウを備えるスリーブ、およびスリーブにねじ結合されるコレットチャックから構成されることを特徴とする。【０００６】  上記のような構成によるネイルとラグスクリュウの組付け構造は、構成要素が少なく単純で、ラグスクリュウが容易に短時間で比較的軽い力でねじ込み工具で三葉形凹面溝をナメルことなくスリーブ・マスタースクリュウと同時にガイドされてねじ込めされ、ねじ込み工具によるねじ込みの後にネイルとスリーブとコレットチャックがテーパーとスリ割りで固く摩擦締結されるので、ネイルとラグスクリュウの間においてぐらつきがなく、恒久的に緩まない高い静止安定性を保持することを特徴とする。
【発明の効果】
【０００７】  以上のように、本発明に係るネイルとラグスクリュウとの組付け構造は、ネイルとラグスクリュウとが容易に、短時間に、かつ、高度な安定性を有してねじ込み方向の一方向だけで組付けできて恒久的に緩まないので、熟練した技術を必要とせずに骨接合手術を安全に行うことができる利点がある。
【発明を実施するための最良の形態】
【０００８】  この発明に係る一実施形態について、図１、図２、図３、図４、図５、図６を参照して説明する。【０００９】  図１はこの実施例に係るネイル１に挿入されるラグスクリュウ２の接合骨への食付き前の状態の組立体の全体図を部分的に断面表示を入れて表示したものであり、図２はこの組立体が接合骨に食付いた状態の組立体の全体図を表し、図３はラグスクリュウ２とスリーブ３の回り止めのためのピン結合を図１のＡ−Ａ断面図で表し、図４はコレットチャックとスリーブの嵌め合い結合に予め決められる僅かな回転抵抗を与えるための、スリーブ側の直線状ローレットとコレットチャック側の直線状ローレットを示す詳細図を図１のＢ−Ｂ断面図で表し、図５はラグスクリュウの右後側面の回し工具の差込み用の三葉形凹面溝２−４とラグスクリュウの抜け止めのためのサークリップ２−３を図１のＣ−Ｃ断面図で表し、図６は固定用コレットチャックの右後端の回し工具の差込み用の三葉形凹面溝４−４の詳細を図１のＤ−Ｄ断面図で表す。【００１０】  この実施例に係るラグスクリュウ２は図１に示されるように、コレットチャック４の押し込み力によるネイル・マスタースクリュウ１−２とスリーブ・マスタースクリュウ３の噛合いにより、および三葉以上の葉形凹面溝２−４に差し込まれる回し工具の捩じりによる押し込み力により、ネイル１にラグスクリュウ２を固定する構造のものである。【００１１】  ラグスクリュウ２は、図１から図６に示されるように、スリーブ３と角形ねじでマスタースクリュウ結合されるネイル１、二条ねじ２−１、回り止め溝２−２、三葉形凹面溝２−４を含むラグスクリュウ２、およびネイル１と角形ねじでマスタースクリュウ結合し、ラグスクリュウ２とピン結合またはセレーションまたはスプラインで滑り結合するスリーブ・マスタースクリュウ３から構成される。【００１２】  ラグスクリュウ２の先端部材はそのねじ推進部が二条ねじで構成され、ラグスクリュウ２が一回転するとピッチの二倍進む構造で、これにより素早くねじの押し込みが可能となる。さらに、ねじの歯面の形状は図１に見られるように相対する一方側をそれぞれ軸線に対してほぼ垂直にして、これにより押し進む方向と戻る方向の両方に抵抗し、従って、ねじの緩み止めの効果を発揮する。【００１３】  ラグスクリュウ２の後端部材は先端部材と一体構造で作られ、最後端面には回し工具が差し込まれる、摩擦接触面が大きく取れる三つ以上の葉形凹面溝２−４が備えられる。【００１４】  スリーブ３はラグスクリュウ２にピン結合またはセレーション、スプライン、またはキー滑り結合されて滑らかに軸方向に動くと共に、ラグスクリュウ２の初期の食い込み時には、ネイル・マスタースクリュウ１−２に角形ねじ結合によって噛み合わされるスリーブ・マスタースクリュウ３−３を備えてラグスクリュウ２と一緒に回転できる。【００１５】  なお、この発明の技術範囲は上記実施の形態に限定されるものではなく、本発明の趣旨を逸脱しない範囲において種々の変更を加えることが可能である。
【産業上の利用可能性】
【００１６】  この発明によるラグスクリュウの利用により、特殊な専門技術を必要とせずに、ねじ込み方向の一方向だけで短時間に組付けでき、容易に比較的軽い力で、緩みなく安定的に骨の接合および脱着を行うことができる。
【図面の簡単な説明】
【００１７】
【図１】この発明の一実施形態に係るネイル１とラグスクリュウ２のラグスクリュウ２が接合骨へ食付く前の状態の組立体構造を説明するためのシステム構成図である。
【図２】この発明の一実施形態に係るネイル１とラグスクリュウ２の組立体が接合骨に食付いた状態の組立体構造を説明するためのシステム構成図で、断面の横軸線上側はネイル１に対する固定用コレットチャック４の摩擦締結前を示し、下側はネイル１に対する固定用コレットチャック４の摩擦締結後を示す。
【図３】この発明の一実施形態に係るラグスクリュウ２の溝２−２とスリーブ・マスタースクリュウ３のピン３−２によるスリーブとの噛合いのためのピン結合を示す断面図である。
【図４】この発明の一実施形態に係るスリーブ３・マスタースクリュウ側の直線状ローレット３−５とコレットチャック４側の直線状ローレット４−５の噛合いを示す詳細図である。
【図５】この発明の一実施形態に係るラグスクリュウ２の右後側面の回し工具の差込み用の三葉形凹面溝２−４とラグスクリュウの抜け止めのためのサークリップ２−３を示す図詳細図である。
【図６】この発明の一実施形態に係るコレットチャック４の右後端の回し工具の差込み用の三葉形凹面溝４−４の詳細図である。
【符号の説明】
【００１８】１  ネイル
１−１  ネイル・マスタースクリュウ
１−２  ネイル・マスタースクリュウ肩
１−３  テーパー
１−４  テーパー部隙間
２  ラグスクリュウ
２−１  二条ねじ
２−２  スリーブとの噛合い溝
２−３  抜け止めサークリップ
２−４  三葉形凹面溝
３  スリーブ・マスタースクリュウ
３−１  二条ねじ
３−２  ラグスクリュウとの噛合いピン
３−３  スリーブ・マスタースクリュウ肩
３−４  結合雄ねじ
３−５  直線状ローレット
４  固定用コレットチャック
４−１  テーパー
４−２  結合雌ネジ
４−３  スリ割り
４−４  三葉形凹面溝
４−５  直線状ローレット
【図１】
2014030687.tif 000003
【図２】
2014030687.tif 000004
【図３】
2014030687.tif 000005
【図４】
2014030687.tif 000006
【図５】
2014030687.tif 000007
【図６】
2014030687.tif 000008